(57)【要約】【課題】使用時に汚れても、容易に汚れを除去することのできる衛生用薄葉紙収納容器を提供する。【解決手段】弾性を有する材料によって形成され、内部の衛生用薄葉紙Ｐを取り出す取出部１１を有する外装部１を備え、取出部１１は、切り込み状に形成され、外装部１の取出部１１に沿う一端部である第一縁部１１１と、外装部１の取出部１１に沿う他端部である第二縁部１１２とが、第一縁部１１１が外装部１の外側に位置し、第二縁部１１２が外装部１の内側に位置するようにして重なっている。【選択図】図１
2019137406.tif 000002
【特許請求の範囲】
【請求項１】
弾性を有する材料によって形成され、内部の衛生用薄葉紙を取り出す取出部を有する外装部を備え、
前記取出部は、切り込み状に形成され、
前記外装部の前記取出部に沿う一端部である第一縁部と、前記外装部の前記取出部に沿う他端部である第二縁部とが、前記第一縁部が前記外装部の外側に位置し、前記第二縁部が前記外装部の内側に位置するようにして重なっていることを特徴とする衛生用薄葉紙収納容器。
【請求項２】
前記取出部は、前記第一縁部と前記第二縁部とを、着脱自在に接続させる封止部材を備えることを特徴とする請求項１に記載の衛生用薄葉紙収納容器。
【請求項３】
前記封止部材は、前記第一縁部の外面側に備えられた第一磁石と、前記第二縁部の内面側に備えられた第二磁石と、を備えることを特徴とする請求項２に記載の衛生用薄葉紙収納容器。
【請求項４】
前記外装部内に収納され、衛生用薄葉紙が載置される中枠部をさらに備え、
前記外装部は、開閉自在の開口部である開閉部を有し、
前記中枠部は、前記開閉部から前記外装部内に出し入れすることができることを特徴とする請求項１から３のいずれか一項に記載の衛生用薄葉紙収納容器。
【請求項５】
前記外装部は、下面に滑り止め部を備えることを特徴とする請求項１から４のいずれか一項に記載の衛生用薄葉紙収納容器。
【請求項６】
前記外装部の下方に、前記外装部と比較して硬質な材料によって箱状に形成され、開口部を有する箱状部材が接続されていることを特徴とする請求項１から４のいずれか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床若しくはトイレ又は人体などを拭くための衛生用薄葉紙を収納する衛生用薄葉紙収納容器として、衛生用薄葉紙を取り出す取出口を覆う蓋体を有し、当該蓋体をボタン状のスイッチ部を押すことによって開放させて使用する容器（例えば、特許文献１参照。）が知られている。
【先行技術文献】
【特許文献】
【０００３】
【特許文献１】特開２０１３−２０９１２０号公報
【発明の概要】
【発明が解決しようとする課題】
【０００４】
衛生用薄葉紙を使用する際には、使用者の手が汚れている場合が多いところ、このような状態でボタン状のスイッチ部を押すと、スイッチ部周辺が汚れてしまうことが多かった。さらに、このようなスイッチ部は、周囲の部材と別の部材として構成されていることから、周囲に凹凸や溝が多く、一度汚れがついてしまうと完全に除去することが困難であり、衛生上好ましくなかった。
【０００５】
本発明の課題は、使用時に汚れても、容易に汚れを除去することのできる衛生用薄葉紙収納容器を提供することである。
【課題を解決するための手段】
【０００６】
上記課題を解決するために、請求項１に記載の発明は、衛生用薄葉紙収納容器において、
弾性を有する材料によって形成され、内部の衛生用薄葉紙を取り出す取出部を有する外装部を備え、
前記取出部は、切り込み状に形成され、
前記外装部の前記取出部に沿う一端部である第一縁部と、前記外装部の前記取出部に沿う他端部である第二縁部とが、前記第一縁部が前記外装部の外側に位置し、前記第二縁部が前記外装部の内側に位置するようにして重なっていることを特徴とする。
本発明によれば、使用時に汚れても、容易に汚れを除去することのできる衛生用薄葉紙収納容器を提供することができる。
【０００７】
請求項２に記載の発明は、請求項１に記載の衛生用薄葉紙収納容器において、
前記取出部は、前記第一縁部と前記第二縁部とを、着脱自在に接続させる封止部材を備えることを特徴とする。
本発明によれば取出部の気密性を高めることができる。
【０００８】
請求項３に記載の発明は、請求項２に記載の衛生用薄葉紙収納容器において、
前記封止部材は、前記第一縁部の外面側に備えられた第一磁石と、前記第二縁部の内面側に備えられた第二磁石と、を備えることを特徴とする。
本発明によれば取出部の気密性をさらに高めることができる。
【０００９】
請求項４に記載の発明は、請求項１から３のいずれか一項に記載の衛生用薄葉紙収納容器において、
前記外装部内に収納され、衛生用薄葉紙が載置される中枠部をさらに備え、
前記外装部は、開閉自在の開口部である開閉部を有し、
前記中枠部は、前記開閉部から前記外装部内に出し入れすることができることを特徴とする。
本発明によれば、衛生用薄葉紙収納容器内への衛生用薄葉紙の補充が容易となる。
【００１０】
請求項５に記載の発明は、請求項１から４のいずれか一項に記載の衛生用薄葉紙収納容器において、
前記外装部は、下面に滑り止め部を備えることを特徴とする。
本発明によれば、衛生用薄葉紙収納容器を滑り難くし、安定性を高めることができる
【００１１】
請求項６に記載の発明は、請求項１から４のいずれか一項に記載の衛生用薄葉紙収納容器において、
前記外装部の下方に、前記外装部と比較して硬質な材料によって箱状に形成され、開口部を有する箱状部材が接続されていることを特徴とする。
本発明によれば、使用済みの衛生用薄葉紙や、衛生用薄葉紙以外の物品も収納可能となる。
【発明の効果】
【００１２】
本発明によれば、使用時に汚れても、容易に汚れを除去することのできる衛生用薄葉紙収納容器を提供することができる。
【図面の簡単な説明】
【００１３】
【図１】実施形態に係る衛生用薄葉紙収納容器の斜視図である。
【図２】実施形態に係る衛生用薄葉紙の斜視図である。
【図３】実施形態に係る包装体の斜視図である。
【図４】実施形態に係る包装体取出口の変形例を示す図である。
【図５】図１のV-V部における断面図である。
【図６】実施形態に係る中枠部の斜視図である。
【図７】変形例１に係る衛生用薄葉紙収納容器の斜視図である。
【図８】変形例２に係る衛生用薄葉紙収納容器の斜視図である。
【図９】変形例３に係る衛生用薄葉紙収納容器の斜視図である。
【発明を実施するための形態】
【００１４】
以下、本発明の実施形態である衛生用薄葉紙収納容器の具体的な態様について、図１から図９に基づいて説明する。ただし、本発明の技術的範囲は、図示例に限定されるものではない。なお、以下においては、図１に示すように、Ｘ軸、Ｙ軸及びＺ軸並びに前後方向、左右方向及び上下方向を定めて説明する。すなわち、外装部１の取出部１１が形成された側を「上」、その反対側を「下」、外装部１の前底面部１ａが形成された側を「前」、その反対側を「後」、後側を向いた状態における右手側を「右」、後側を向いた状態における左手側を「左」とし、前後方向に沿った軸をＸ軸、左右方向に沿った軸をＹ軸、上下方向の沿った軸をＺ軸とする。
【００１５】
［実施形態の構成］
｛全体構成｝
衛生用薄葉紙収納容器１００は、図１、５及び６に示すように、衛生用薄葉紙収納容器１００の外装となる外装部１と、外装部１内に収納される中枠部２と、を備え、内部に包装体Ｔによって包装された衛生用薄葉紙Ｐが収納される。
【００１６】
｛衛生用薄葉紙｝
衛生用薄葉紙Ｐとしては、例えば、図２に示すような積層状の衛生用薄葉紙Ｐが使用される。
衛生用薄葉紙Ｐは、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートである。
【００１７】
｛包装体｝
衛生用薄葉紙Ｐは、図３に示すように、包装体Ｔによって覆われている。包装体Ｔは、ＰＥ（ポリエチレン）、ＰＰ（ポリプロピレン）、ＰＥＴ（ポリエチレンテレフタレート）、等の材料によって形成された袋状の部材であり、上部に包装体取出口Ｔ１を有する。
【００１８】
包装体取出口Ｔ１は、包装体Ｔの上面に形成された、衛生用薄葉紙Ｐを取り出すための孔部である。
包装体取出口Ｔ１の大きさとしては、前後方向、左右方向共に５ｍｍから18ｍｍに形成されることが好ましく、特に両方向において１５ｍｍ程度となるように形成されていることが望ましい。
この大きさであれば、包装体取出口Ｔ１において衛生用薄葉紙Ｐに掛かる抵抗が適切なものとなり、衛生用薄葉紙Ｐを取出し易く、かつ不使用時において衛生用薄葉紙Ｐが包装体取出口Ｔ１からはずれ、包装体Ｔ内に落下してしまうことも防止できる。
【００１９】
図３においては、包装体取出口Ｔ１が、十字状の切り込みとして形成された場合につき図示したが、これに限られず、例えば、図４（ａ）に示す包装体取出口Ｔ２のように、十字状に形成した上で交点に近づくにつれて開口部が広くなるようにしてもよいし、図４（ｂ）に示す包装体取出口Ｔ３のように、六芒星型としてもよい。
【００２０】
なお、包装体Ｔを備えることなく、衛生用薄葉紙Ｐを直接衛生用薄葉紙収納容器１００内に収納することも可能である。
【００２１】
｛外装部｝
外装部１は、図１に示すように、前側に位置する略円形の前底面部１ａと、後側に位置する略円形の後底面部１ｂと、前底面部１ａと後底面部１ｂとを繋ぐ筒状の側面部１ｃと、からなる円筒状に形成された部材であり、使用者が手で後述の取出部１１を開閉できる必要があることから、一定の弾性を有する材料を用いて形成されている必要がある。具体的には、硬度が５０から７０であることが望ましい。なお、上記硬度は、JIS K 6253（タイプAデュロメータ）によって測定されたものである。
具体的な材料としては、例えば、シリコンゴムや、スチレン−ブタジエン系、ポリエステル系、ポリエチレン系、ウレタン系等の熱可塑性エラストマー等が用いられる。
外装部１は、前方又は後方から見た際に、直径が好ましくは70ｍｍから110ｍｍ、さらに好ましくは80ｍｍから100ｍｍの略円形となり、前後方向に好ましくは140ｍｍから180ｍｍ、さらに好ましくは150ｍｍから170ｍｍの長さを有する略円筒状に形成される。
また、外装部１は、上部に取出部１１を備え、前部に開閉部１２を備え、下部に滑り止め部１３を備える。
【００２２】
（取出部）
取出部１１は、内部の衛生用薄葉紙Ｐを取り出すための開口部であり、図１に示すように、外装部１の上面に、前後方向に切り込みを入れるようにして形成されている。
【００２３】
（第一縁部及び第二縁部）
取出部１１は、図５に示すように、外装部１上面の取出部１１右側の縁部である第一縁部１１１と、外装部１上面の取出部１１左側の縁部である第二縁部１１２とが、第一縁部１１１が上側、すなわち外装部１の外側に位置し、第二縁部１１２が下側、すなわち外装部１の内側に位置するようにして重なるように形成されている。重なる幅は、左右方向に好ましくは10ｍｍから30ｍｍ、さらに好ましくは15ｍｍから25ｍｍ程度である。
【００２４】
（封止部材）
封止部材１１３、１１３は、取出部１１を開閉自在に封止するための部材であり、図１及び図５に示すように、第一縁部１１１の上面に備えられた小型の磁石である第一磁石１１３ａ、１１３ａと、第二縁部１１２の下面に備えられた小型の磁石である第二磁石１１３ｂ、１１３ｂと、からなる。
第一磁石１１３ａ、１１３ａと、第二磁石１１３ｂ、１１３ｂとは、平面視において重なる位置において、磁石のＮ局とＳ局とが向かい合うように備えられ、磁力によって、取出部１１の第一縁部１１１と、第二縁部１１２とを吸着させるとともに、上下方向に力が掛かった際に吸着が外れ、取出部１１が開放されるように形成されている。
【００２５】
第一磁石１１３ａ、１１３ａ及び第二磁石１１３ｂ、１１３ｂとしては、第一縁部１１１と、第二縁部１１２とを吸着させることで、取出部１１を閉塞させるとともに、上下方向に力が掛かった際に吸着が外れ、取出部１１が開放されるものであれば、任意の磁石を使用可能である。
ただし、下方に位置する第二縁部１１２の自重によって、吸着が外れてしまうことがなく、かつ、後述のように使用者が取出部１１に手を差し入れた際には、容易に吸着が外れる程度の吸着力をもって、第一縁部１１１と、第二縁部１１２とを吸着させることができるものである必要がある。
【００２６】
封止部材１１３における磁石の配置は、図示したものに限られず、取出部１１を開閉自在に封止できるものであれば、その他の配置とされていてもよい。
また、図１においては、前後二か所に封止部材１１３、１１３が備えられた場合につき図示したが、これに限られず、これより多数の封止部材１１３…を設けてもよいし、一か所にのみ設けてもよい。
また、封止部材は、図示したように点状に備えられた場合に限られず、例えば、第一縁部１１１及び第二縁部１１２の両者に、前後方向の全体に亘る長さを有する磁石を備え、第一縁部１１１の前後方向の全体と、第二縁部１１２の前後方向の全体とが吸着されるようにしてもよい。この場合、封止部材の磁石は、第一縁部１１１及び第二縁部１１２の上面、下面のいずれに備えられていてもよい。封止部材をこのように構成した場合、取出部の気密性をさらに向上させることができる。
【００２７】
（開閉部）
図１に示すように、開閉部１２は、外装部１の前底面部１ａと側面部１ｃとの境に、下部の一部を残して切り込み設け、当該切り込みにファスナーを備えることによって、外装部１の前底面部１ａの全面を開閉自在の開口部としたものであり、内部の衛生用薄葉紙Ｐの補充等の際に用いられる。
前底面部１ａと、側面部１ｃとの間の切り込みを着脱自在に接続し、前底面部１ａを開閉自在とする手段としては、ファスナーに限られず、例えば、磁石、ボタン等を用いてもよい。
【００２８】
（滑り止め部）
滑り止め部１３は、図１及び５に示すように、外装部１の下部に形成された、衛生用薄葉紙収納容器１００が、床面やテーブル等の上に載置された状態において滑り難くし、安定性を高めるための部材であり、例えば、シリコンゴムや、スチレンーブタジエン系、アクリル系、ウレタン系等のゴムを用いたシート状のゴム材を貼付することにより形成されている。
滑り止め部１３は、前後方向に側面部１ｃの全体に亘り、左右方向に好ましくは50ｍｍから90ｍｍ、さらに好ましくは60ｍｍから80ｍｍの幅を有するように形成されている。
【００２９】
｛中枠部｝
中枠部２は、外装部１内に収納される部材であり、図６に示すように、前面視において、下部のみが直線となった略円形の板状の部材である前面部２ａと、前面部２ａと同一の形状の板状の部材である後面部２ｂと、前面部２ａ下部の直線部分と、後面部２ｂの下部の直線部分とを繋ぐ、平面視矩形状の板状の部材である下面部２ｃと、を備える。
中枠部２は、外装部１と比較して硬質な材料によって形成されている。具体的には、硬度が100から120であることが望ましい。なお、上記硬度は、JIS K 6253（タイプAデュロメータ）によって測定されたものである。
具体的な材料としては、例えば、ＰＥ（ポリエチレン）、ＰＰ（ポリプロピレン）、ＰＥＴ（ポリエチレンテレフタレート）、ＡＢＳ樹脂等が用いられる。
【００３０】
前面部２ａと、後面部２ｂとは、外装部１の前底面部１ａ及び後底面部１ｂと比較して、僅かに直径が小さくなるように形成されている。また、下面部２ｃは、左右方向に好ましくは50ｍｍから80ｍｍ、さらに好ましくは55ｍｍから75ｍｍの長さを有し、前後方向に外装部１の側面部１ｃと比較して僅かに短くなるように形成されている。
これによって、中枠部２を、開閉部１２から外装部１の内部の空間に出し入れすることができると共に、外装部１内部の空間に収納された状態において、中枠部２の前面部２ａ及び後面部２ｂが、外装部１を支えることができる。
【００３１】
［実施形態の使用方法］
本実施形態に係る衛生用薄葉紙収納容器１００の使用時には、使用者は、まず、外装部１の開閉部１２を開放し、開閉部１２から中枠部２を引き出した上で、下面部２ｃ上に、包装体Ｔに包まれた衛生用薄葉紙Ｐを載置する。当該状態において、中枠部２を開閉部１２から外装部１内に戻すことによって、衛生用薄葉紙収納容器１００内に衛生用薄葉紙Ｐが収納される。
【００３２】
衛生用薄葉紙収納容器１００内に収納された衛生用薄葉紙Ｐを使用する際には、使用者は、取出部１１に、左方向から手を挿入する。そうすると、第一縁部１１１が上方に、第二縁部１１２が下方へと押されることで、自動的に封止部材１１３、１１３の第一磁石１１３ａ、１１３ａと、第二磁石１１３ｂ、１１３ｂとの吸着が外れて取出部１１が開放され、使用者が内部の衛生用薄葉紙Ｐを取り出して使用することが可能となる。
【００３３】
［実施形態の効果］
本実施形態に係る衛生用薄葉紙収納容器１００によれば、衛生用薄葉紙Ｐを使用する使用者が、取出部１１に手を挿入するのみで、自動的に内部の衛生用薄葉紙Ｐを取り出すための開口部が形成される。
また、使用者が内部の衛生用薄葉紙Ｐを取り出した後には、使用者が取出部１１から手を引き抜けば、外装部１の弾性により、取出部１１が自動的に閉じ、封止部材１１３、１１３によって封止される。
したがって、衛生用薄葉紙収納容器に、容器の開閉のためのボタン状のスイッチ部を設ける必要がなくなり、衛生用薄葉紙の使用時に、使用者がこのようなスイッチ部を押すこともなくなる。これによって、凹凸や溝が多く、汚れが落とし難いスイッチ部の周囲が汚れてしまうことによる衛生上の問題を生じさせることなく、衛生用薄葉紙収納容器を使用することが可能となる。
【００３４】
また、取出部１１は、エラストマー等で形成された外装部１の側面部１ｃに設けられた切り込みに過ぎないことから、周囲に複雑な凹凸や溝は存在しない。したがって、仮に取出部１１の周囲が、衛生用薄葉紙Ｐの取り出し時に汚れてしまったとしても、汚れの除去は容易であり、衛生上の問題は生じ難い。
【００３５】
また、取出部１１は、閉塞時には、第一縁部１１１と第二縁部１１２とが重なった上で、封止部材１１３、１１３によって閉じられていることから、十分な気密性を有し、内部に収納された衛生用薄葉紙Ｐがウェットティッシュ等のウェットシートである場合においても、これが乾燥してしまうことを防止することができる。
また、衛生用薄葉紙Ｐが包装体Ｔによって包装されていることによって、よりウェットシートが乾燥してしまうことを防止することができる。
【００３６】
また、第一磁石１１３ａ、１１３ａが、第一縁部１１１の上面側に備えられ、第二磁石１１３ｂ、１１３ｂが第二縁部１１２の下面側に備えられていることによって、第一縁部１１１の下面と、第二縁部１１２の上面とを密着させることが可能となり、衛生用薄葉紙収納容器１００内部の気密性をより高めることが可能となる。
【００３７】
また、外装部１の開閉部１２から中枠部２を引き出した上で、下面部２ｃ上に包装体Ｔに包まれた衛生用薄葉紙Ｐを載置し、当該状態において、中枠部２を開閉部１２から、外装部１内に戻すことによって、衛生用薄葉紙収納容器１００内に衛生用薄葉紙Ｐを容易に収納することができる。したがって、衛生用薄葉紙収納容器１００内への衛生用薄葉紙Ｐの補充も容易となる。
【００３８】
また、外装部１の下面側に滑り止め部１３が形成されていることによって、衛生用薄葉紙収納容器１００が、床面やテーブル上等に載置された状態において滑り難くし、安定性を高めることができる。
【００３９】
また、外装部１の内部に外装部１と比較して硬質な材料によって形成された中枠部２が収納されていることによって、外装部１を変形し易い軟質な材料を用いて形成しても、衛生用薄葉紙収納容器１００の形状を保つことができる。
【００４０】
［変形例］
以下、本実施形態の変形例につき説明する。なお、いずれの変形例についても、以下において説明する部分以外は、上記実施形態に係る衛生用薄葉紙収納容器１００と同様であることから、同一の符号を付して説明を省略する。
【００４１】
｛変形例１｝
外装部は、図１に示した円筒状に限られず、多角柱状に形成されていてもよい。例えば、図７（ａ）に示す三角柱状の外装部１Ａを備えた衛生用薄葉紙収納容器１００Ａ、図７（ｂ）に示す四角柱状の外装部１Ｂを備えた衛生用薄葉紙収納容器１００Ｂ、図７（ｃ）に示す五角柱状の外装部１Ｃを備えた衛生用薄葉紙収納容器１００Ｃ等である。
【００４２】
この場合、内部の中枠部も、外装部の形状に合致するものである必要があり、衛生用薄葉紙収納容器１００Ａにおいては、中枠部の前面部及び後面部が、前面視において三角形状となるように形成され、衛生用薄葉紙収納容器１００Ｂにおいては、中枠部の前面部及び後面部が、前面視において四角形状となるように形成され、衛生用薄葉紙収納容器１００Ｃにおいては、中枠部の前面部及び後面部が、前面視において五角形状となるように形成される。
【００４３】
｛変形例２｝
変形例２は、図８に示す衛生用薄葉紙収納容器１００Ｄのように、外装部の下方に、箱状に形成され、開口部３１を備えた箱状部材３を接続したものである。箱状部材３は、外装部１と比較して硬質な材料によって形成されている。具体的には、硬度が100から120であることが望ましい。なお、上記硬度は、JIS K 6253（タイプAデュロメータ）によって測定されたものである。
具体的な材料としては、例えばＰＥ（ポリエチレン）、ＰＰ（ポリプロピレン）、ＰＥＴ（ポリエチレンテレフタレート）、ＡＢＳ樹脂等が用いられる。
図８においては、略三角柱状に形成され、下部に滑り止め部１３を有しない外装部１Ｄの下方に、直方体状に形成され、矩形状の開口部３１を有する箱状部材３が接続された場合につき図示したが、外装部及び箱状部材の形状はこれに限られない。
【００４４】
本変形例によれば、箱状部材３を、例えば、使用済みの衛生用薄葉紙Ｐを、開口部３１を介して収納するごみ箱として使用したり、小物入れとして使用したりすることができる。
【００４５】
｛変形例３｝
図９（ａ）に示す衛生用薄葉紙収納容器１００Ｅのように、取出部につき、凹部１１１ａを第一縁部１１１Ａに備えた取出部１１Ａとしてもよい。
また、図９（ｂ）に示す衛生用薄葉紙収納容器１００Ｆのように、取出部につき、凸部１１１ｂを第一縁部１１１Ｂに備えた取出部１１Ｂとしてもよい。
凹部１１１ａを第一縁部１１１Ａに備えた取出部１１Ａによれば、例えば、凹部１１１ａから、取出部１１Ａに手を差し入れ易くなる。また、凸部１１１ｂを第一縁部１１１Ｂに備えた取出部１１Ｂによれば、例えば、凸部１１１ｂを持ち手として上方へと引っ張ることによっても、取出部１１Ｂを開放させることが可能となる。
【符号の説明】
【００４６】
１００、１００Ａ、１００Ｂ、１００Ｃ、１００Ｄ、１００Ｅ、１００Ｆ  衛生用薄葉紙収納容器
１、１Ａ、１Ｂ、１Ｃ、１Ｄ、１Ｅ，１Ｆ  外装部
１１、１１Ａ、１１Ｂ  取出部
１１１、１１１Ａ、１１１Ｂ  第一縁部
１１２  第二縁部
１１３  封止部材
１１３ａ  第一磁石
１１３ｂ  第二磁石
１２  開閉部
１３  滑り止め部
２  中枠部
３  箱状部材
３１  開口部
Ｐ  衛生用薄葉紙
【図１】
2019137406.tif 000003
【図２】
2019137406.tif 000004
【図３】
2019137406.tif 000005
【図４】
2019137406.tif 000006
【図５】
2019137406.tif 000007
【図６】
2019137406.tif 000008
【図７】
2019137406.tif 000009
【図８】
2019137406.tif 000010
【図９】
2019137406.tif 000011